(57)【要約】【課題】外容器内に内容器を容易に挿入可能な収容容器を提供する。【解決手段】内容器３を外容器２の収容空間２１に収容する収容容器において、内容器３は、一方端側を先頭側として外容器２に近づく方向にスライド移動させて収容空間２１に挿入されるものとする。そして、内容器３に一又は複数の凹部を設け、凹部の少なくとも一つは、内容物を保持する部位を含むものとする。そして、凹部の中で先頭又は先頭近傍に形成された先頭側凹部の外面側の角辺であって、先頭側に向かう位置にある先頭向角辺に傾斜面状又は円弧面状の底側誘導面４６ａを形成する。【選択図】図１３
2020083353.tif 000002
【特許請求の範囲】
【請求項１】
内部に収容空間を有する外容器と、内容物を保持する内容器を備え、内容物を保持した前記内容器を前記収容空間に収容する収容容器において、
前記内容器は、一方端側を先頭側として前記外容器に近づく方向にスライド移動させて前記収容空間に挿入され、
前記内容器には、一又は複数の凹部があり、前記凹部の少なくとも一つには内容物を保持する部位を含み、
前記凹部の中で先頭又は先頭近傍に形成された先頭側凹部の外面側の角辺であって、先頭側に向かう位置にある先頭向角辺に傾斜面状又は円弧面状の底側誘導面があることを特徴とする収容容器。
【請求項２】
前記内容物は、前記底側誘導面の反対側の面と接しない状態で前記内容器に保持されることを特徴とする請求項１に記載の収容容器。
【請求項３】
前記内容器は、前記凹部が設けられた本体部と、前記本体部の先頭側の辺部から垂下された先頭側立壁部を有し、
前記底側誘導面は前記内容器を先頭側から見たときに、前記先頭側立壁部で隠れる高さの位置にあることを特徴とする請求項１又は２に記載の収容容器。
【請求項４】
前記内容器は、前記凹部が設けられた本体部と、前記本体部の先頭側の辺部から垂下された先頭側立壁部を有し、
前記本体部と前記先頭側立壁部の境界部分に傾斜面状又は円弧面状の上部側誘導面があることを特徴とする請求項１乃至３のいずれかに記載の収容容器。
【請求項５】
前記内容器は、前記凹部が設けられた本体部と、前記本体部の先頭側の辺部から垂下された先頭側立壁部と、前記本体部の側方側の辺部から垂下された側面側立壁部を有し、
前記本体部の先頭側と側方側は、前記先頭側立壁部と前記側面側立壁部によって覆われ、前記先頭側立壁部と前記側面側立壁部の一部分との間に、傾斜面状又は円弧面状の側面側誘導面があることを特徴とする請求項１乃至４のいずれかに記載の収容容器。
【請求項６】
前記内容器は、前記凹部が設けられた本体部を有し、
前記本体部には、前記凹部の内側空間を区画する仕切壁部が設けられており、
前記仕切壁部の上側部分には、先頭側と対となる後尾側の部分に、隣接部分よりも下方に窪む指掛部が形成されていることを特徴とする請求項１乃至５のいずれかに記載の収容容器。
【請求項７】
前記収容空間に収容可能な化粧台紙をさらに有し、前記化粧台紙は、台紙上側部と、台紙下側部と、前記台紙上側部と前記台紙下側部の間でこれらを連結する台紙側壁部を有しており、
前記内容器の先頭側の部分を前記台紙上側部と前記台紙下側部の間に位置させた状態で、前記内容器を前記収容空間に収容可能であることを特徴とする請求項１乃至６のいずれかに記載の収容容器。
【請求項８】
内部に収容空間を有する外容器と、内容物を保持する内容器を備え、内容物を保持した前記内容器を前記収容空間に収容する収容容器において、
前記内容器は、一方端側を先頭側として前記外容器に近づく方向にスライド移動させて前記収容空間に挿入され、
前記内容器には、一又は複数の凹部があり、前記凹部の少なくとも一つには内容物を保持する部位を含み、
前記凹部の中で先頭又は先頭近傍に形成された先頭側凹部の外面側の角辺であって、先頭側に向かう位置にある先頭向角辺に傾斜面状又は円弧面状の底側誘導面があり、
前記内容物は、前記底側誘導面の反対側の面と接しない状態で前記内容器に保持されるものであり、
前記内容器は、前記凹部が設けられた本体部と、前記本体部の先頭側の辺部から垂下された先頭側立壁部と、前記本体部の側方側の辺部から垂下された側面側立壁部を有し、
前記本体部の先頭側と側方側は、前記先頭側立壁部と前記側面側立壁部によって覆われ、前記先頭側立壁部と前記側面側立壁部の一部分との間に傾斜面状又は円弧面状の側面側誘導面があり、
前記本体部と前記先頭側立壁部の境界部分に傾斜面状又は円弧面状の上部側誘導面があり、
前記底側誘導面は前記内容器を前記先頭側から見たときに、前記先頭側立壁部で隠れる高さの位置にあり、
前記収容空間に収容可能な化粧台紙をさらに有し、
前記化粧台紙は、台紙上側部と、台紙下側部と、前記台紙上側部と前記台紙下側部の間でこれらを連結する台紙側壁部を有しており、
前記内容器の前記先頭側の部分を前記台紙上側部と前記台紙下側部の間に位置させた状態で、前記内容器を前記収容空間に収容されることを特徴とする収容容器。
【発明の詳細な説明】
【技術分野】
【０００１】
本発明は、例えば筆記具や描画材料といった、内容物を収容する収容容器に関する。
【背景技術】
【０００２】
鉛筆等の筆記具や、色鉛筆、絵具、クレヨン等の描画材料を収容するための収容容器が広く知られている。例えば、特許文献１には、外容器の内部に絵具容器保持トレイ（内容器）を収容する画材セットが開示されている。
【０００３】
特許文献１の絵具容器保持トレイには、絵具容器を保持する保持凹部と、ステンシル用筆を保持する保持凹部が設けられている。さらに、この絵具容器保持トレイには、これら保持凹部の他、パレットとして使用するパレット凹部が形成されている。そして、描画材料を保持凹部に保持した状態で、外容器の開口部分から絵具容器保持トレイを挿入し、外容器の内部に絵具容器保持トレイを収容している。
【０００４】
また、特許文献２には、略直方体状の紙製の箱体に、略コ字状に折り曲げた紙製の内装体を挿入し、さらに、箱体内に筆記具を並べて収納する筆記具用箱が開示されている。
【０００５】
ここで、上記した絵具容器保持トレイのような外容器の中に挿入される内容器は、真空成形によって成形される場合が多い。周知の通り、真空成形は、雄型に加熱軟化した熱可塑性樹脂シートを被せ、雄型と熱可塑性樹脂シートとの間を減圧して、熱可塑性樹脂シートを雄型の外形形状に沿わせる成形方法である。
このような真空成形では、所定の形状に変形した熱可塑性樹脂シートを冷却して硬化させ、雄型から脱型する。
【０００６】
また、このような真空成形によると、成形品の凹部の奥底の辺にシャープな角を表出させることは困難である。
すなわち、真空成形では、熱軟化したシートを引き延ばして凹部を成形するので、凹部の奥は深絞り状となり、角の辺はどうしても円弧形状となってしまう。したがって、真空成形においては、凹部の奥の辺のアール形状は、真空成形を行う限り、意図せずにできてしまう形状となっている。
【先行技術文献】
【特許文献】
【０００７】
【特許文献１】実開平５−２９８００号公報
【特許文献２】特開２０１１−１９５１７１号公報
【発明の概要】
【発明が解決しようとする課題】
【０００８】
本発明者らは、透明の外容器に化粧台紙を挿入し、さらに描画材料を保持した内容器を導入することを考えた。すなわち、外側からみたとき、化粧台紙に印刷した文字や図柄を視認可能であり、化粧台紙を取り換える等により簡単にデザインの変更が可能な収容容器を考えた。
【０００９】
しかしながら、従来の内容器（トレイ）では、内容器を外容器に挿入する際、予め外容器内に挿入している化粧台紙に内容器が引っかかってしまい、内容器を外容器内にスムーズに挿入することが困難であった。
すなわち、外容器に内容器を容易に挿入するという観点から、従来の収容容器には改善の余地があった。
【００１０】
そこで本発明は、外容器内に内容器を容易に挿入可能な収容容器を提供することを課題とする。
【課題を解決するための手段】
【００１１】
上記課題を解決するための請求項１に記載の発明は、内部に収容空間を有する外容器と、内容物を保持する内容器を備え、内容物を保持した前記内容器を前記収容空間に収容する収容容器において、前記内容器は、一方端側を先頭側として前記外容器に近づく方向にスライド移動させて前記収容空間に挿入され、前記内容器には、一又は複数の凹部があり、前記凹部の少なくとも一つには内容物を保持する部位を含み、前記凹部の中で先頭又は先頭近傍に形成された先頭側凹部の外面側の角辺であって、先頭側に向かう位置にある先頭向角辺に傾斜面状又は円弧面状の底側誘導面があることを特徴とする収容容器である。
【００１２】
本発明の収容容器は、先頭側凹部の外面側の角辺であって、先頭側に向かう位置に底側誘導面がある。
底側誘導面は、傾斜面状又は円弧面であるが、真空成形を行う際に必然的に出来てしまうアール形状とは異なり、意図的に作られたものである。底側誘導面は、前記した真空成形を行う際に出来てしまうアールに比べて、明らかに大きなものである。
例えば、真空成形を行う雄型に、底側誘導面に相当する面があり、熱可塑性シートをこの成形面に沿わせて底側誘導面が作られる。
また底側誘導面は、内容物を保持するための面とも異なる。例えば、内容物が円柱状であるならば、内容物を保持する凹部の外側は、円弧面となる。これに対して本発明の収容容器に形成される底側誘導面は、内容物の保持を目的としないものであり、多くの場合、その内面に内容物が接しない。
また円柱状の内容物を保持する凹部は、全体的に連続形状の曲面であるのに対し、本発明の底側誘導面は、隣接する２面の双方と繋がる面であるものの、形状的には不連続である。つまり、底側誘導面と、隣接する面（近傍に位置する面）とは、形状、曲率、傾斜（面の広がり方向）の少なくとも一つが異なる面であり、これら一連の部分を目視したとき、底側誘導面と隣接する面との境界部分を特定可能な形状となっている。
このような底側誘導面を形成することで、内部に化粧台紙のような他部材を収容した外容器に内容器を挿入する際、他部材等が底側誘導面により引っ掛かり難くなり、内容器の挿入作業を容易に行うことができる。
【００１３】
請求項２に記載の発明は、前記内容物は、前記底側誘導面の反対側の面と接しない状態で前記内容器に保持されることを特徴とする請求項１に記載の収容容器である。
【００１４】
かかる構成によると、前記内容物の形状によらず底側誘導面を形成できるので、内容物の保持機能を損なわず底側誘導面を大きく形成できる。
【００１５】
請求項３に記載の発明は、前記内容器は、前記凹部が設けられた本体部と、前記本体部の先頭側の辺部から垂下された先頭側立壁部を有し、前記底側誘導面は前記内容器を先頭側から見たときに、前記先頭側立壁部で隠れる高さの位置にあることを特徴とする請求項１又は２に記載の収容容器である。
【００１６】
かかる構成によると、化粧台紙等の他部材が底側誘導面により引っ掛かり難くなるので、内容器の外容器への挿入作業をさらに容易に行うことができる。
【００１７】
請求項４に記載の発明は、前記内容器は、前記凹部が設けられた本体部と、前記本体部の先頭側の辺部から垂下された先頭側立壁部を有し、前記本体部と前記先頭側立壁部の境界部分に傾斜面状又は円弧面状の上部側誘導面があることを特徴とする請求項１乃至３のいずれかに記載の収容容器である。
【００１８】
かかる構成によると、内容器の上部側部分が外容器の縁部分等に引っ掛かり難くなるので、内容器の外容器への挿入作業をさらに容易に行うことができる。
【００１９】
請求項５に記載の発明は、前記内容器は、前記凹部が設けられた本体部と、前記本体部の先頭側の辺部から垂下された先頭側立壁部と、前記本体部の側方側の辺部から垂下された側面側立壁部を有し、前記本体部の先頭側と側方側は、前記先頭側立壁部と前記側面側立壁部によって覆われ、前記先頭側立壁部と前記側面側立壁部の一部分との間に傾斜面状又は円弧面状の側面側誘導面があることを特徴とする請求項１乃至４のいずれかに記載の収容容器である。
【００２０】
かかる構成によると、外容器の開口部分から内容器を挿入する際、内容器が開口部分により引っ掛かり難くなり、内容器の外容器への挿入作業をさらに容易に行うことができる。
【００２１】
請求項６に記載の発明は、前記内容器は、前記凹部が設けられた本体部を有し、前記本体部には、前記凹部の内側空間を区画する仕切壁部が設けられており、前記仕切壁部の上側部分には、先頭側と対となる後尾側の部分に、隣接部分よりも下方に窪む指掛部が形成されていることを特徴とする請求項１乃至５のいずれかに記載の収容容器である。
【００２２】
かかる構成によると、内容器の外容器からの取り出しが容易であり、好ましい。
【００２３】
請求項７に記載の発明は、前記収容空間に収容可能な化粧台紙をさらに有し、前記化粧台紙は、台紙上側部と、台紙下側部と、前記台紙上側部と前記台紙下側部の間でこれらを連結する台紙側壁部を有しており、前記内容器の先頭側の部分を前記台紙上側部と前記台紙下側部の間に位置させた状態で、前記内容器を前記収容空間に収容可能であることを特徴とする請求項１乃至６のいずれかに記載の収容容器である。
【００２４】
本発明の収容容器は、外容器への挿入時に内容器が他部材に引っ掛かり難いので、このような構成とすることが可能である。
【００２５】
請求項８に記載の発明は、内部に収容空間を有する外容器と、内容物を保持する内容器を備え、内容物を保持した前記内容器を前記収容空間に収容する収容容器において、前記内容器は、一方端側を先頭側として前記外容器に近づく方向にスライド移動させて前記収容空間に挿入され、前記内容器には、一又は複数の凹部があり、前記凹部の少なくとも一つには内容物を保持する部位を含み、前記凹部の中で先頭又は先頭近傍に形成された先頭側凹部の外面側の角辺であって、先頭側に向かう位置にある先頭向角辺に傾斜面状又は円弧面状の底側誘導面があり、前記内容物は、前記底側誘導面の反対側の面と接しない状態で前記内容器に保持されるものであり、前記内容器は、前記凹部が設けられた本体部と、前記本体部の先頭側の辺部から垂下された先頭側立壁部と、前記本体部の側方側の辺部から垂下された側面側立壁部を有し、前記本体部の先頭側と側方側は、前記先頭側立壁部と前記側面側立壁部によって覆われ、前記先頭側立壁部と前記側面側立壁部の一部分との間に傾斜面状又は円弧面状の側面側誘導面があり、前記本体部と前記先頭側立壁部の境界部分に傾斜面状又は円弧面状の上部側誘導面があり、前記底側誘導面は前記内容器を前記先頭側から見たときに、前記先頭側立壁部で隠れる高さの位置にあり、前記収容空間に収容可能な化粧台紙をさらに有し、前記化粧台紙は、台紙上側部と、台紙下側部と、前記台紙上側部と前記台紙下側部の間でこれらを連結する台紙側壁部を有しており、前記内容器の前記先頭側の部分を前記台紙上側部と前記台紙下側部の間に位置させた状態で、前記内容器を前記収容空間に収容されることを特徴とする収容容器である。
【００２６】
本発明の収容容器によると、外容器の内部に内容器を挿入する際、外容器の開口部分に対する内容器の姿勢が、通常想定される姿勢から３次元方向に傾いた姿勢であっても、傾きを修正しつつ外容器の内部に挿入する作業を容易に実施できる。したがって、内容器の外容器への挿入作業をさらに容易に行うことができる。
【発明の効果】
【００２７】
本発明は、外容器内に内容器を容易に挿入可能な収容容器を提供できる。
【図面の簡単な説明】
【００２８】
【図１】本発明の実施形態に係るクレヨンセットを示す斜視図であり、外箱に化粧台紙とトレイを収容する様子を示す。
【図２】図１の外箱を別方向からみた様子を示す斜視図である。
【図３】図１のトレイを示す斜視図である。
【図４】図３のトレイを下側からみた様子を示す斜視図である。
【図５】図３のトレイを示す平面図である。
【図６】図１のクレヨンを保持するトレイを示すＡ−Ａ断面図である。
【図７】図３のトレイを示す側面図であり、一部を拡大して示す。
【図８】図３のトレイを示すＢ−Ｂ断面図であり、一部を拡大して示す。
【図９】図１の外箱内に化粧台紙を収容した様子を示す断面図である。
【図１０】図１のトレイを外箱内に挿入する様子を模式的に示す説明図であり、クレヨンを省略して示す。
【図１１】図１０とは異なる姿勢でトレイを外箱内に挿入する様子を模式的に示す説明図であり、クレヨンを省略して示す。
【図１２】図１のトレイを外箱内に挿入する様子を模式的に示す説明図であり、外箱及び化粧台紙の一部を破断すると共に外箱の蓋部を省略し、開口部周辺を側方からみた様子を示す図であって、（ａ）、（ｂ）の順に挿入する。
【図１３】図１のトレイを外箱内に挿入する様子を模式的に示す説明図であり、外箱，化粧台紙、トレイの一部を破断すると共に外箱の蓋部を省略し、開口部の周辺を側方からみた様子を示す図であって、（ａ）、（ｂ）の順に挿入する。
【図１４】図１３に続いて、トレイを外箱内に挿入する様子を模式的に示す説明図であり、外箱及び化粧台紙の一部を破断すると共に外箱の蓋部を省略する図であって、（ａ）、（ｂ）の順に挿入する。
【図１５】上記の実施形態とは異なる実施形態に係るトレイを示す図であり、一部のトレイ側壁部を破断して示す側面図である。
【図１６】上記の実施形態とは異なる実施形態に係る外箱を示す斜視図である。
【発明を実施するための形態】
【００２９】
以下、本発明の実施形態に係るクレヨンセット１について、図面を参照しつつ詳細に説明するが、本発明はこれらの例に限定されるものではない。
また、上下方向は、特に断りのない限り、図１で示される状態を基準として説明する。
【００３０】
本実施形態のクレヨンセット１は、図１で示されるように、外箱２（外容器）と、トレイ３（内容器）と、化粧台紙４と、クレヨン５（内容物）を備えている。
具体的には、このクレヨンセット１は、内部に化粧台紙４を収容した外箱２に対し、複数のクレヨン５を保持したトレイ３を出し入れして使用する。つまり、このクレヨンセット１は、外箱２、トレイ３、化粧台紙４が、クレヨン５を収容する収容容器として機能する描画材料セット（用具セット）である。
【００３１】
外箱２は、透明な樹脂製の容器であり、各部が可撓性を有している。この外箱２は、外箱本体部１０と、外箱蓋部１１とが一体に形成されている。
なお、ここでいう「透明」とは、肉眼で内外を見通すことが可能であることを意味し、無色のものだけではなく、有色のものを含む。
【００３２】
外箱本体部１０は、図１で示されるように、略直方体状の部分であり、上下方向で離間対向する第一壁部１５及び第二壁部１６と、外箱底板部１７と、２つの外箱側壁部１８を有しており、一方側の側方が開放されている。
つまり、外箱本体部１０の一方側の側方には、開口部２０が形成されており、図２で示されるように、外箱本体部１０の内部空間である収容空間２１と外部が開口部２０を介して連通している。
【００３３】
ここで、以下の説明では、開口部２０側から外箱底板部１７側へ向かう方向（図１の矢印で示す方向であり、図９の右側から左側へ向かう方向）を挿入方向とする。すなわち、収容空間２１の深さ方向であり、外箱底板部１７の内側面と交わる（直交する）方向を挿入方向とする。
同様に、トレイ３、化粧台紙４の説明においても、外箱２への収納時を基準として、開口部２０側から外箱底板部１７側へ向かう方向を挿入方向とする。
さらに、外箱２、トレイ３、化粧台紙４のそれぞれにおいて、外箱２への収納時を基準として、上下方向及び挿入方向と交わる方向を幅方向とする。
そして、挿入方向の先端側を先頭側とも称し、挿入方向の基端側を後尾側とも称す。
【００３４】
第一壁部１５、第二壁部１６は、上下方向を厚さ方向とし、平面的な広がりを有する板状部分である。
第一壁部１５には、図２で示されるように、第一壁部１５を厚さ方向（上下方向）に貫通する係合孔１５ａが設けられている。この係合孔１５ａは、幅方向に延びる長孔となっている。
また、第一壁部１５には、開口部２０側の縁端部分に切欠部１５ｂが形成されている。この切欠部１５ｂは、開口部２０側の縁端側から挿入方向に延びる切り欠き部分であり、開口部２０側の縁端及びその隣接部分を欠落させて形成される部分である。
【００３５】
外箱底板部１７は、開口部２０と挿入方向で離間対向する位置に形成される部分であり、挿入方向を厚さ方向とする板状部分である。つまり、外箱底板部１７は、外箱２の挿入方向の先端側端部に位置すると共に、上下方向及び幅方向に広がっており、第一壁部１５と第二壁部１６の間で収容空間２１の底部分を閉塞する部分である。
【００３６】
２つの外箱側壁部１８は、図２で示されるように、いずれも幅方向を厚さ方向とする板状部分であり、幅方向で離間対向している。これらは、第一壁部１５と第二壁部１６の幅方向における縁端部分同士の間で延びており、第一壁部１５、第二壁部１６、外箱底板部１７のそれぞれと連続する。
【００３７】
以上のことから、収容空間２１（図２参照）は、第一壁部１５と第二壁部１６の間に位置し、外箱底板部１７と２つの外箱側壁部１８によって三方を囲繞された空間となる。
【００３８】
外箱蓋部１１は、図２で示されるように、第二壁部１６から延びる部分であり、蓋基端部１１ａ、蓋先端部１１ｂを有する。
蓋基端部１１ａと蓋先端部１１ｂは、いずれも板状の部分であり、蓋先端部１１ｂが蓋基端部１１ａよりも延設方向の長さが長くなっている。すなわち、外箱蓋部１１は、全体として、蓋基端部１１ａと蓋先端部１１ｂの境界部分で折曲しつつ延びる板状部分となっている。
【００３９】
ここで、蓋先端部１１ｂには、一部湾曲しつつ延びる切込部１９が設けられている。この切込部１９と隣接する舌片状の部分は、上記した係合孔１５ａと係合する部分である。つまり、この舌片状の部分と係合孔１５ａとは、対となる係合部となっている。
【００４０】
具体的に説明すると、外箱蓋部１１は、開口部２０を開放する開状態（図２参照）と、開口部２０を閉塞する閉状態を切り替え可能となっている。
開状態では、図２で示されるように、開口部２０の外側に外箱蓋部１１が位置しない状態とする。すなわち、蓋基端部１１ａを厚さ方向が上下方向と同方向（略同方向）となる姿勢とし、蓋基端部１１ａの内側面を開口部２０から離した状態とする。そして、蓋先端部１１ｂもまた、厚さ方向が上下方向と同方向（略同方向）となる姿勢とし、蓋先端部１１ｂを蓋基端部１１ａよりもさらに開口部２０から離した状態とする。
対して、閉状態では、蓋基端部１１ａが開口部２０を外側から覆い、蓋先端部１１ｂが第一壁部１５の上側に重なった状態とする。すなわち、蓋基端部１１ａの内側面と外箱底板部１７と内側面が挿入方向で離間対向し、蓋先端部１１ｂの厚さ方向と第一壁部１５の厚さ方向と同方向となる姿勢とする。そして、この状態において、切込部１９と隣接する舌片状の部分と、係合孔１５ａとを係合させた状態とする。
【００４１】
トレイ３は、図３で示されるように、トレイ本体部２５（本体部）とトレイ側壁部２６が一体となって形成されている。このトレイ３は、ポリプロピレン等の可塑性樹脂を原料として、適宜の手段（本実施形態では真空成形）で形成される部材となっている。
【００４２】
トレイ本体部２５には、その大部分に、上面から下方側に窪む収容凹部２８（凹部）が形成されている。そして、収容凹部２８の内部に仕切壁部３０が設けられている。
ここで収容凹部２８は、仕切壁部３０によって２つの空間に区画されている。すなわち、幅方向における一方側に位置する片側凹部２８ａと、他方側に位置する他方側凹部２８ｂに区画されている。この片側凹部２８ａと他方側凹部２８ｂは、同形の部分となっている。
【００４３】
収容凹部２８は、図４で示されるように、下方側においては、周囲よりも突出した部分となる。
ここで、片側凹部２８ａと他方側凹部２８ｂの底側部分には、図３乃至図５で示されるように、第一保持部３３と、第二保持部３４と、溝状凹部３５（凹部）と、押込凹部３６（先頭側凹部であり、図４、図５参照）とが形成されている。
【００４４】
具体的には、図５で示されるように、挿入方向の基端側から先端側へ向かって（図５の上側から下側へ向かって）、第一保持部３３、溝状凹部３５、第二保持部３４、押込凹部３６の順で、それぞれが隣接配置されるように形成されている。
【００４５】
第一保持部３３には、図３、図５で示されるように、複数（本実施形態では３つ）の小凹部３３ａ（凹部）が形成され、幅方向で並列配置されている。それぞれの小凹部３３ａは、壁状部分の間で下方に向かって丸みを帯びて凸となるように窪んだ部分である。詳細には、小凹部３３ａは、幅方向の中心位置が最も窪んだ湾曲面を形成する。
【００４６】
第二保持部３４もまた、図３、図５で示されるように、複数（本実施形態では３つ）の小凹部３４ａ（凹部）が幅方向で並列するように形成される部分である。同様に、これらの小凹部３４ａも、壁状部分の間で下方に向かって丸みを帯びて凸となるように窪んだ部分となっている。
【００４７】
第一保持部３３の各小凹部３３ａと、第二保持部３４の各小凹部３４ａは、図５で示されるように、挿入方向（図５の上下方向）で間隔を空けて並列配置されている。
そして、挿入方向で並列する第一保持部３３の小凹部３３ａと、第二保持部３４の小凹部３４ａは、幅方向長さ（図５の左右方向）が同一であり、幅方向の両端部同士が挿入方向で並列している。つまり、これら２つの小凹部３３ａ，３４ａは、あたかも一連の凹部が断続したような状態となっている。
【００４８】
溝状凹部３５は、平面視形状が略長方形状で幅方向に延びている。
この溝状凹部３５は、図３で示されるように、第一保持部３３、第二保持部３４の小凹部３３ａ，３４ａの最も窪んだ部分よりもさらに窪んだ部分である。すなわち、溝状凹部３５の底面は、小凹部３３ａ，３４ａの底面よりも下方に位置し、これらの底面と段状に連続する部分となる。
【００４９】
押込凹部３６は、図５で示されるように、平面視形状が略長方形状で幅方向に延びており、溝状凹部３５よりも挿入方向（図５の上下方向）の長さが長い部分である。
この押込凹部３６の底面の一部には、押込凹部３６の挿入方向に延びる突条部３６ａが形成されている。この突条部３６ａは、周囲よりも上方（図４では下方、図５では手前側）に突出する部分である。また、突条部３６ａの大部分は、挿入方向において、押込凹部３６の底面における一端から他端に至るまでの間に位置している。なお、この突条部３６ａの上端面は、小凹部３３ａ，３４ａの最も下側に位置する部分より下方に位置している。
【００５０】
具体的には、押込凹部３６は、図６で示されるように、第一壁状部４０の下端側の一部と、凹部底面部４１と、第二壁状部４２によって囲まれた空間を形成している。
【００５１】
第一壁状部４０は、トレイ本体部２５（収容凹部２８）の立壁状部分のうち、最も挿入方向の先端側（先頭側）に形成される立壁状部分である。つまり、第一壁状部４０は、厚さ方向を挿入方向と同方向とし、上下方向及び幅方向に広がるように延びる（図４参照）部分である。
詳細には、図４で示されるように、片側凹部２８ａの挿入方向の先端側端部と、他方側凹部２８ｂの挿入方向の先端側端部のそれぞれに第一壁状部４０が形成されており、その間に欠落部分４５が位置している。つまり、第一壁状部４０は、幅方向の中心近傍に位置する欠落部分４５によって一部が欠落しつつ、幅方向に断続して延びている。
【００５２】
凹部底面部４１は、図６で示されるように、トレイ本体部２５（収容凹部２８）の底部分のうち、挿入方向の先端側に位置する一部分を形成する平板状部分である。
詳細には、図４で示されるように、突条部３６ａが形成された部分によって一部が欠落しつつ、幅方向に断続して延びている。
【００５３】
この凹部底面部４１は、図４、図６で示されるように、第一境界部４６を介して第一壁状部４０と連続している。
この第一境界部４６のうち、第一壁状部４０と凹部底面部４１の外側面同士の間に位置する第一境界部４６の外側面は、押込凹部３６の外面側の角辺を形成する。同様に、凹部底面部４１と第二壁状部４２の外側面同士が連続する部分もまた、押込凹部３６の外面側の角辺を形成する。したがって、第一境界部４６の外側面によって形成される角辺は、押込凹部３６の先頭側（挿入方向の先端側）に向かう位置にある角辺（先頭向角辺）となる。
本実施形態の特徴的な部分である第一境界部４６については、詳しくは後述する。
【００５４】
第二壁状部４２は、図６で示されるように、挿入方向の先端側に向かうにつれて下方に向かう傾斜面を形成する部分である。この第二壁状部４２は、図３、図５で示されるように、第二保持部３４の挿入方向の先端側に位置する壁部分を形成し、且つ、図５、図６で示されるように、押込凹部３６の溝壁を形成する。
【００５５】
なお、押込凹部３６は、図６で示されるように、トレイ３がクレヨン５を保持した状態である保持状態において、クレヨン５の保持のために機能しない部分である。
具体的には、押込凹部３６は、クレヨン５を取り出し易くするため、クレヨン５の移動代を形成する部分である。詳細に説明すると、本実施形態では、上記した保持状態から、クレヨン５の基端側部分を下方に押圧して押込凹部３６の内部に位置させ、クレヨン５の先端側部分を浮き上がらせることを可能としている。したがって、上記した保持状態では、外力が加わらない限り（自然状態において）、クレヨン５が押込凹部３６の内側面と接触しない状態となる。言い換えると、第一壁状部４０の下端側部分の内側面と、第一境界部４６の内側面と、凹部底面部４１の内側面と、第二壁状部４２の内側面は、保持状態においてクレヨン５と接しない面となる。
なお、第一境界部４６の内側面は、第一境界部４６の外側に形成される傾斜面（後述する第一境界傾斜面４６ａ）の反対側に形成される面である。
【００５６】
対して、第一保持部３３と第二保持部３４は、クレヨン５を保持するために機能する部分である。
第一保持部３３、第二保持部３４の小凹部３３ａ，３４ａは、クレヨン５の一部に沿う形状であり、クレヨン５を嵌入可能な部分である。上記した保持状態では、クレヨン５の一部が小凹部３３ａ，３４ａに丁度（略丁度）嵌まり込み、小凹部３３ａ，３４ａの内周面の少なくとも一部と接触した状態となり、小凹部３３ａ，３４ａに保持される。
つまり、小凹部３３ａ，３４ａは、クレヨン５を保持する部位となる。
【００５７】
仕切壁部３０には、図３で示されるように、上面の一部に指掛部３０ａが形成されている。具体的には、指掛部３０ａは、仕切壁部３０の上面のうち、挿入方向の基端側端部（後尾側端部）に形成されている。この指掛部３０ａは、仕切壁部３０の上面において、仕切壁部３０の長手方向（挿入方向）で隣接する部分よりも窪んだ部分である。
なお、本実施形態の指掛部３０ａは、隣接する仕切壁部３０の上面と傾斜面を介して連続しており、この傾斜面は、挿入方向の基端側に向かうにつれて下方に向かうように傾斜している。
【００５８】
トレイ側壁部２６として、図３で示されるように、第一トレイ側壁部５０（先頭側立壁部）、第二トレイ側壁部５１（側面側立壁部）、第三トレイ側壁部５２（側面側立壁部）、第四トレイ側壁部５３からなる四つの側壁部が形成されている。
これら第一トレイ側壁部５０乃至第四トレイ側壁部５３は、トレイ本体部２５の外側で略四角環状に連続し、トレイ本体部２５（収容凹部２８）を囲繞している。また、第一トレイ側壁部５０乃至第四トレイ側壁部５３は、いずれもトレイ本体部２５の縁端部分（辺部）と連続し、この縁端部分から垂下される部分となっている。
【００５９】
第一トレイ側壁部５０は、トレイ３の挿入方向における先端側に位置し、挿入方向を厚さ方向とする立板状部分であり、概形が略横長長方形状となっている。つまり、上下方向及び幅方向に広がりを有する部分である。
この第一トレイ側壁部５０は、図４、図６で示されるように、第二境界部５７を介して第一壁状部４０と連続している。本実施形態の特徴的な部分である第二境界部５７については、詳しくは後述する。
【００６０】
第二トレイ側壁部５１、第三トレイ側壁部５２は、図３、図５で示されるように、トレイ３の幅方向における両端側にそれぞれ位置する部分である。
具体的には、第二トレイ側壁部５１、第三トレイ側壁部５２は、いずれも挿入方向の基端側に位置する側壁本体部５１ａ，５２ａと、挿入方向の先端側に位置する傾斜面部５１ｂ，５２ｂが一体となって形成されている。すなわち、第二トレイ側壁部５１、第三トレイ側壁部５２は、一部が屈曲しつつ延びる立板状部分である。
【００６１】
側壁本体部５１ａ，５２ａは、幅方向を厚さ方向とし、側面視形状が略横長長方形状となる部分である。つまり、上下方向及び挿入方向に広がりを有する部分である。
傾斜面部５１ｂ，５２ｂは、外側面（側面側誘導面）が側壁本体部５１ａ，５２ａの外側面に対して傾斜する面となっている。挿入方向の先端側に近づくにつれ、幅方向の中心側へ向かう方向に延びている。
【００６２】
ここで、一方の傾斜面部５１ｂは、側壁本体部５１ａと第一トレイ側壁部５０の間に位置し、これらのそれぞれと連続している。同様に、他方の傾斜面部５２ｂは、側壁本体部５２ａと第一トレイ側壁部５０の間に位置し、これらのそれぞれと連続している。
図５で示されるように、２つの傾斜面部５１ｂ，５２ｂのそれぞれと、第一トレイ側壁部５０とは湾曲面を介して連続している。また、傾斜面部５１ｂ，５２ｂと側壁本体部５１ａ，５２ａの境界部分は、角張らず丸みを帯びた形状であり、傾斜面部５１ｂ，５２ｂと側壁本体部５１ａ，５２ａは、なだらかに湾曲しつつ連続している。
【００６３】
以上のことから、トレイ３の挿入方向における先端側部分では、幅方向で離れた位置に一つずつ合計２つの傾斜面部５１ｂ，５２ｂが形成されている。そして、この二つの傾斜面部５１ｂ，５２ｂは、挿入方向の先端側に近づくにつれ、互いに近づく方向に延びている。
【００６４】
第四トレイ側壁部５３は、トレイ３の挿入方向における基端側に位置し、厚さ方向が挿入方向となる立板状部分であり、概形が略横長長方形状となっている。つまり、上下方向及び幅方向に広がりを有する部分である。
この第四トレイ側壁部５３は、幅方向における両端部分のそれぞれが、第二トレイ側壁部５１、第三トレイ側壁部５２の側壁本体部５１ａ，５２ａのそれぞれと連続している。
【００６５】
第一トレイ側壁部５０乃至第四トレイ側壁部５３は、図３、図４で示されるように、トレイ３の下方側（図４では上方側）において、収容凹部２８の外側で環状に連続しており、収容凹部２８の各部と間隔を空けて対向している。
つまり、トレイ本体部２５（収容凹部２８）の挿入方向のおける先端側（先頭側）は、第一トレイ側壁部５０によって覆われている。同様に、トレイ本体部２５（収容凹部２８）の幅方向の両端それぞれ（両側方）は、第二トレイ側壁部５１、第三トレイ側壁部５２によって覆われている。
【００６６】
さらに、第一トレイ側壁部５０は第一壁状部４０と挿入方向で間隔を空けて対向している。同様に、第二トレイ側壁部５１は、収容凹部２８の幅方向における片側端部と間隔を空けて対向しており、第三トレイ側壁部５２は、収容凹部２８の幅方向における片側端部と間隔を空けて対向している。さらに、第四トレイ側壁部５３は、収容凹部２８の挿入方向における基端側端部と間隔を空けて対向している。
そして、トレイ３は、上記したように樹脂を原料としており、柔軟性（可撓性）を有する。したがって、第一トレイ側壁部５０乃至第四トレイ側壁部５３は、人が一定以上の力で外側から内側（収容凹部２８側）へ向かって押圧すると、一時的に弾性変形するものとなっている。
【００６７】
ここで、本実施形態の特徴部分である第一境界部４６（図４参照）と、第二境界部５７（図３参照）について詳細に説明する。
【００６８】
まず、本実施形態のトレイ３は、上記したように、真空成形で形成されている。このことから、各部の面と面との境界部分が必然的に面取りしたかのようなアール形状となる。言い換えると、面と面の境界部分は、その大部分が必然的にＲ面形状となる。
例えば、図７で示されるように、トレイ本体部２５の上面と第四トレイ側壁部５３の境界となる角部６０が、この必然的に形成されるＲ面形状となっている。また、図５で示されるように、第二トレイ側壁部５１と第四トレイ側壁部５３の境界となる角部６０や、第三トレイ側壁部５２と第四トレイ側壁部５３の境界となる角部６０も、このような必然的に形成されるＲ面形状となっている。この他、トレイ３の面と面の境界となる各部がこのような角部６０となっているが、作図の都合上、一部にのみ符号を付し、他への符号を省略する。
【００６９】
そして、第一境界部４６（図８参照）と、第二境界部５７（図７参照）は、各位置の角部６０（図７等参照）よりも明らかに大きく角部分を欠落させた形状としている。
具体的には、第一境界部４６の外側面は、２つの湾曲面の間に第一境界傾斜面４６ａ（底側誘導面）が位置して形成されており、これら２つの湾曲面と第一境界傾斜面４６ａとが連続して形成される面である。第一境界傾斜面４６ａは、水平面及び鉛直面に対して傾斜する傾斜面となっている。すなわち、第一境界部４６は、外側の形状をＣ面形状とし、Ｒ面形状となる角部６０とは異なる形状としている。
【００７０】
ここで、上記した「明らかに大きく角部分を欠落させた形状」とは、具体的には、面取り長さを一定以上長くした形状である。
本実施形態における「面取り長さ」とは、境界部や角部６０を形成する２面の一方と平行な方向の面取長さＬ１と、２面の他方と平行な方向の面取り長さＬ２の合計値としてもよい。なお、面取長さＬ１は、境界部や角部６０を形成する２面の一方を含んで広がる第一の仮想面と、他方を含んで広がる第二の仮想面の交線上の一点を点Ｐとしたとき、点Ｐから２面の一方までの距離である。同様に、面取長さＬ２は、点Ｐから２面の他方までの距離である。
【００７１】
この他、「面取り長さ」は、境界部や角部６０に形成される傾斜面又は湾曲面の長さ、すなわち、傾斜面の傾斜方向長さＬ３や、湾曲面の円弧の長さとしてもよい。
【００７２】
例えば、第一境界部４６は、図８で示されるように、角部６０と比べて、面取長さＬ１と面取長さＬ２の合計値が大きくなっている。また、第一境界傾斜面４６ａの傾斜方向長さＬ３は、角部６０の湾曲面の円弧の長さよりも長くなっている。
本実施形態の第一境界部４６は、少なくとも２以上の角部６０よりも故意に面取り長さを長くしている。
【００７３】
第二境界部５７の外側面もまた、図７で示されるように、２つの湾曲面の間に第二境界傾斜面５７ａ（上部側誘導面）が位置して形成されており、これら２つの湾曲面と第二境界傾斜面５７ａとが連続して形成される面となっている。第二境界傾斜面５７ａは、水平面及び鉛直面に対して傾斜する傾斜面となっている。すなわち、第二境界部５７は、外側の形状をＣ面形状とし、Ｒ面形状となる角部６０とは異なる形状としている。
【００７４】
そして、第二境界傾斜面５７ａは、図７で示されるように、角部６０と比べて、面取長さＬ１と面取長さＬ２の合計値が大きくなっている。また、第二境界傾斜面５７ａの傾斜方向長さＬ３は、角部６０の湾曲面の円弧長さよりも長くなっている。
本実施形態の第二境界部５７もまた、少なくとも２以上の角部６０よりも故意に面取り長さを長くしている。
【００７５】
さらに具体的には、面取長さＬ１と面取り長さＬ２の合計値を面取り長さとしたとき、第一境界部４６、第二境界部５７の面取り長さは、角部６０の面取り長さよりも２．０ｍｍ以上長くすることが好ましい。さらには、角部６０の面取り長さよりも４．０ｍｍ以上長くすることがより好ましく、６．０ｍｍ以上長くすることがさらに好ましい。本実施形態では、角部６０の面取り長さよりも６．０ｍｍ長くしている。
【００７６】
また、図８で示されるように、第一境界部４６は、トレイ３の全体の下端部分よりも高位置となるように形成している。具体的には、凹部底面部４１の底面をトレイ側壁部２６の下端部分よりも高位置であり、溝状凹部３５の底面よりも高位置となるように形成している。したがって、凹部底面部４１の下方側に隙間が形成された状態となる。
なお、本実施形態の凹部底面部４１は、底面がトレイ３の全体の下端部分よりも１ｍｍ程度高位置に形成されている。すなわち、凹部底面部４１の下方側に形成される隙間の上下方向長さが、化粧台紙４の下側部６６（詳しくは後述する）の厚さよりも長くなっている。
【００７７】
さらには、第一境界部４６（第一境界傾斜面４６ａ）は、第一トレイ側壁部５０の下端部分よりも高位置に形成されている。言い換えると、トレイ３の全体を挿入方向の先端側（先頭側）からみたとき（詳細な図示は省略する、図１、図３等参照）、第一境界部４６は、第一トレイ側壁部５０で隠れる高さに形成されている。
【００７８】
化粧台紙４は、厚紙等を略コ字状に折り曲げて形成される部材であり、図１で示されるように、上側部６５（台紙上側部）と、下側部６６（台紙下側部）と、側壁部６７（台紙側壁部）が一体となって形成されている。
上側部６５と下側部６６は、それぞれ薄く平らな部分であり、平面的な広がりを持つ部分であって、上下方向で離間対向している。
側壁部６７は、上側部６５と下側部６６の挿入方向における縁端部分同士の間に位置し、これらを連結する立板状部分となっている。
なお、図１で示されるように、上側部６５の上面と下側部６６の下面（図示しない）には、文字等（文字、数字、記号、図形、絵柄、模様、グラフ、表、又はその他の符号）が印刷されている。
【００７９】
クレヨン５は、図１で示されるように、概形が棒状の画材（描画材料）であり、顔料と蝋を練り固めて形成されたものである。具体的には、先端側が先細りする略円錐状であり、基端側が略円柱状となるように形成されている。
なお、特に限定されるものではないが、本実施形態では、クレヨン５の基端側部分に外表面を覆う巻き紙（マスキング部材）を取り付けている（詳細な図示は省略する）。
【００８０】
続いて、外箱２の内部にトレイ３を収容する際の様子について説明する。
【００８１】
本実施形態のクレヨンセット１は、外箱２の内部に化粧台紙４を収容した状態で、トレイ３を出し入れして使用することを想定している。
すなわち、図９で示されるように、外箱２の収容空間２１に化粧台紙４を収容し、化粧台紙４における側壁部６７の外側面が、外箱底板部１７の内側面と接触した状態とする。そして、化粧台紙４における上側部６５の上面と、下側部６６の下面とが、第一壁部１５の内側面と第二壁部１６の内側面のそれぞれと接触した状態とする。
【００８２】
ここで、化粧台紙４の上側部６５は、下側部６６よりも挿入方向（図９における右側から左側へ向かう方向）の長さが短くなっている。
詳細には、下側部６６は、挿入方向において、外箱底板部１７と隣接する位置から開口部２０又は開口部２０の近傍まで延びている。これに対し、上側部６５は、外箱底板部１７と隣接する位置から延びているが、延び方向の端部（開口部２０側の端部）が、下側部６６の延び方向の端部よりも挿入方向の先端側に位置している。
【００８３】
そして、化粧台紙４を収容した外箱２にトレイ３を収容する際には、図１０で示されるように、トレイ３を開口部２０から外箱２の内部に挿入していく。
具体的には、トレイ３を開口部２０に対して位置合わせし、一方の外箱側壁部１８よりも幅方向における中心側に第二トレイ側壁部５１を位置させ、他方の外箱側壁部１８よりも幅方向における中心側に第三トレイ側壁部５２を位置させる。このとき、２つの外箱側壁部１８と、第二トレイ側壁部５１及び第三トレイ側壁部５２の側壁本体部５１ａ，５２ａとが、いずれも同方向（図１０の上下方向）に延びた姿勢とする。この状態で、トレイ３を第一トレイ側壁部５０側から外箱２に近接していくようにスライド移動させ、トレイ３を外箱２の内部に挿入していく。
【００８４】
ここで、本実施形態のトレイ３は、上記した二つの傾斜面部５１ｂ，５２ｂを有している。このため、トレイ３の一方端側（挿入方向の先端側）部分を開口部２０に挿入し易くなっている。また、図１１で示されるように、トレイ３が、想定される通常の挿入時の姿勢から大きく傾いた姿勢であっても、トレイ３の一方端側の挿入が可能となる。
このため、一時的にトレイ３の一方端側の一部のみを外箱２の内部に収容させ、その状態でトレイ３の姿勢変更が可能となっている。この場合、外箱本体部１０の内側面が、姿勢変更の際のトレイ３の移動を規制する部分として作用するので、トレイ３の姿勢変更が容易である。
【００８５】
また、図１２で示されるように、上記した第二境界部５７（第二境界傾斜面５７ａ）を設けることで、トレイ３を外箱２の内部（収容空間２１）に挿入する際、トレイ３の上側部分に第一壁部１５が引っ掛かり難い構造としている。
すなわち、外箱２の各部が可撓性を有するので、人が外箱２を手に持つ際、持ち位置や力の加え方によっては、第一壁部１５が第二壁部１６に近づくように（開口部２０が窄まるように）変形する可能性がある。また、何らかの理由により、経年使用時に、２つの外箱側壁部１８が外側に撓むように塑性変形（弾性限界を超えて変形）してしまう可能性もある。この場合もまた、第一壁部１５が第二壁部１６に近づくように変形してしまう。
しかしながら、図１２で示されるように、第一壁部１５の開口部２０側の端部がやや第二壁部１６に近づくように変形しても、そのままトレイ３を押し入れることで、第一壁部１５が引っかからず、トレイ３を円滑に挿入できる。
【００８６】
また、化粧台紙４における下側部６６の端部が、図１３で示されるように、経年使用時に何等かの理由によって反り返えるように変形する可能性がある。しかしながら、本実施形態のトレイ３は、第一境界部４６（第一境界傾斜面４６ａ）を設けることで、トレイ３を収容空間２１に挿入する際、トレイ３に下側部６６が引っ掛かり難い構造としている。
【００８７】
具体的に説明すると、人がトレイ３の姿勢を調整しつつ外箱２の内部に挿入する等により、第一トレイ側壁部５０を下側部６６の反り部分よりも奥側に移動させても、図１３（ａ）で示されるように、下側部６６の反り部分が片側凹部２８ａに当接する可能性がある。
すなわち、本実施形態では、凹部底面部４１をトレイ３全体の下端部分よりも高位置に形成しており、微細な反り返りであれば、トレイ３の移動時に反り返り部分が片側凹部２８ａに当接しない構造となっている。しかしながら、反り返りが一定以上大きい場合、図１３（ａ）で示されるように、反り返り部分が片側凹部２８ａに当接してしまう場合がある。
【００８８】
本実施形態では、第一境界部４６を設けることで、図１３で示されるように、下側部６６の反り部分が片側凹部２８ａに当接しても、そのままトレイ３を押し入れることで、下側部６６の反り部分が引っかからず、トレイ３を円滑に挿入できる。
【００８９】
また、図１４で示されるように、化粧台紙４における上側部６５の端部（挿入方向の基端側端部）が、重力等によって下側へ撓んだ状態となる場合がある。
しかしながら、このような場合においても、上記した第二境界部５７（第二境界傾斜面５７ａ）を設けることで、トレイ３を外箱２の収容空間２１に挿入する際、トレイ３の上側部分に化粧台紙４の上側部６５が引っ掛かり難い構造としている。
【００９０】
さらに言えば、本実施形態のトレイ３は、挿入方向の先端側部分に、上記した第一境界部４６、第二境界部５７、二つの傾斜面部５１ｂ，５２ｂを全て備えた構造となっている。このため、トレイ３が挿入方向及び幅方向の二次元に傾く姿勢（図１１のように傾いた姿勢）の他、トレイ３が挿入方向、幅方向、上下方向の三次元に傾いた姿勢であっても外箱２への挿入が容易となる。
例えば、トレイ３が三次元に傾く姿勢の一例として、図１１のように二次元に傾きつつ、加えて、幅方向の一方側（例えば、図１１の左側）が、他方側（例えば、図１１の右側）に対してやや上方（図１１の手前側）に位置するように傾いた姿勢であるとする。
このように、トレイ３が三次元に傾いた姿勢であっても、第一境界部４６、第二境界部５７を有するので、トレイ３が開口部２０の近傍に位置する第一壁部１５の縁端部分や、化粧台紙４の下側部６６に引っかかり難い。このため、トレイ３の三次元方向の傾きを微細に修正しつつ、トレイ３を開口部２０から外箱２に挿入する作業を実施する際、好適に実施できる。
以上のことから、本実施形態のトレイ３は、化粧台紙４を収容した外箱２に対し、円滑に収容可能なものとなっている。
【００９１】
上記した実施形態では、トレイ３における第一境界部４６、第二境界部５７の形状を角部６０とは異なる形状とした例を示した（図７、図８参照）。
しかしながら、例えば、図１５で示されるように、トレイ２０３（内容器）は、角部６０と同じくＲ面形状とした第一境界部２４６を設けた構造であってもよい。第一境界部２４６は、少なくとも２以上の角部６０よりも面取り長さが大きい形状であればよい。同様に、第二境界部５７もまた、角部６０と同じくＲ面形状としてもよい。
【００９２】
また、外箱２は、上記した実施形態のものに限るものではない。例えば、図１６で示されるように、外箱２０２（外容器）は、内フラップ部２１４を備えた構造としてもよい。
内フラップ部２１４は、平板状の部分であり、外箱側壁部１８の挿入方向における縁端部分から外側へ向かって延びている。そして、延び方向の先端側部分は、角部分を欠落させた形状となっている。
外箱蓋部１１もまた、上記した実施形態のものに限るものではなく、例えば、図１６で示されるように、蓋先端部２１１ｂが蓋基端部２１１ａよりも延設方向の長さが短い外箱蓋部２１１であってもよい。すなわち、閉状態において、蓋先端部２１１ｂを収容空間２１の内部に収容する構造としてもよい。
【００９３】
化粧台紙４は、紙に限らず、屈曲又は湾曲しつつ延びる樹脂製（例えば、プラスチック製）の板状体やシートであってよい。すなわち、化粧台紙４に替わって、板状又はシート状の化粧部材を採用してもよい。
【００９４】
上記した実施形態では、仕切壁部３０の上面のうち、挿入方向の基端側端部に指掛部３０ａを形成した例を示した（図３参照）。しかしながら、指掛部３０ａの位置は、これに限るものではなく、例えば、挿入方向の基端側端部から先端側に離れた位置に形成してもよく、挿入方向の中心よりも基端側に位置する部分のいずれかに形成してもよい。しかしながら、トレイ３をより外箱２から取り出し易くするという観点から、より基端側端部に近い位置に形成することが好ましい。
また、指掛部３０ａの底面と、隣接する仕切壁部３０の上面とは、傾斜面を介して連続する構造に限らず、例えば、段差を介して連続してもよい。指掛部３０ａが隣接部分よりも窪んでいればよい。
【符号の説明】
【００９５】
１  クレヨンセット
２，２０２  外箱（外容器）
３，２０３  トレイ（内容器）
４  化粧台紙
５  クレヨン（内容物）
２１  収容空間
２５  トレイ本体部（本体部）
２８  収容凹部（凹部）
３０  仕切壁部
３０ａ  指掛部
３３ａ  小凹部（凹部）
３４ａ  小凹部（凹部）
３５  溝状凹部（凹部）
３６  押込凹部（先頭側凹部）
４６，２４６  第一境界部
４６ａ  第一境界傾斜面（底側誘導面）
５０  第一トレイ側壁部（先頭側立壁部）
５１  第二トレイ側壁部（側面側立壁部）
５２  第三トレイ側壁部（側面側立壁部）
５７  第二境界部
５７ａ  第二境界傾斜面（上部側誘導面）
６５  上側部（台紙上側部）
６６  下側部（台紙下側部）
６７  側壁部（台紙側壁部）
【図１】
2020083353.tif 000003
【図２】
2020083353.tif 000004
【図３】
2020083353.tif 000005
【図４】
2020083353.tif 000006
【図５】
2020083353.tif 000007
【図６】
2020083353.tif 000008
【図７】
2020083353.tif 000009
【図８】
2020083353.tif 000010
【図９】
2020083353.tif 000011
【図１０】
2020083353.tif 000012
【図１１】
2020083353.tif 000013
【図１２】
2020083353.tif 000014
【図１３】
2020083353.tif 000015
【図１４】
2020083353.tif 000016
【図１５】
2020083353.tif 000017
【図１６】
2020083353.tif 000018